(57)【要約】      （修正有）【課題】組み立て工程が増えず、運搬・取り扱いが安全であり、操作性も良く、従来品に比べてかさぶたとり部が使用中に落下する虞がない、かさぶたとりキット及びそれを装着した医療用針を提供する。【解決手段】筒状体２の前方部２．１の空間２Ｓ内に、前記かさぶたとり部３を配置し、前記筒状体２の先端部２．１１と前記把手４の後端部４．１１の間に脆弱部５を形成し、前記把手４に捻り力を印加して、前記脆弱部５を破断することにより、前記かさぶたとり部３及び把手４が一体となった状態で、前記筒状体２の前方部２．１より取り外すことができるように形成した、かさぶたとりキット１。【選択図】図１
0003144672.tif 000002
【実用新案登録請求の範囲】
【請求項１】
一体に成形した筒状体（２、１２）かさぶたとり部（３、１３）及び把手（４、１４）を有し、
前記筒状体（２、１２）の前方部（２．１、１２．１）の空間（２Ｓ、１２Ｓ）内に、前記かさぶたとり部（３、１３）を配置し、
前記把手（４、１４）の後端部（４．１１、１４．１１）に、前記かさぶたとり部（３、１３）の基部（３．２、１３．２）を連結し、
前記かさぶたとり部（３、１３）の先端部（３．１１、１３．１１）は、前記筒状体（２、１２）の基部（２．２、１２．２）に向けて配置し、
前記筒状体（２）の基部（２．２、１２．２）と反対方向に向けて前記把手（４、１４）を延設し、
前記筒状体（２、１２）の先端部（２．１１、１２．１１）と前記把手（４、１４）の後端部（４．１１、１４．１１）の間に脆弱部（５、１５）を形成し、
前記把手（４、１４）に捻り力を印加して、前記脆弱部（５、１５）を破断することにより、前記かさぶたとり部（３、１３）及び把手（４、１４）が一体となった状態で、前記筒状体（２、１２）の前方部（２．１、１２，１）より取り外すことができるように形成した、ことを特徴とするかさぶたとりキット（１、１１）。
【請求項２】
一体に成形した筒状体（２）、かさぶたとり部（３）及び把手（４）を有し、
前記筒状体（２）の前方部（２．１）の空間（２Ｓ）内に、前記かさぶたとり部（３）を配置し、
前記筒状体（２）の先端部（２．１１）に形成された密閉壁（２．３）に、前記かさぶたとり部（３）の基部（３．２）を連結し、
前記かさぶたとり部（３）の先端部（３．１１）は、前記筒状体（２）の基部（２．２）に向けて配置し、
前記筒状体（２）の密閉壁（２．３）に、前記筒状体（２）の基部（２．２）と反対方向に向けて前記把手（４）を延設し、
前記筒状体（２）の先端部（２．１１）に形成された密閉壁（２．３）と当該筒状体（２）の前方部（２．１）の間に脆弱部（５）を形成し、
前記把手（４）に捻り力を印加して、脆弱部（５）を破断することにより、前記かさぶたとり部（３）、密閉壁（２．３）及び把手（４）が一体となった状態で、前記筒状体（２）の前方部（２．１）より取り外すことができるように形成した、ことを特徴とするかさぶたとりキット（１）。
【請求項３】
一体に成形した筒状体（１２）、かさぶたとり部（１３）及び把手（１４）を有し、
前記筒状体（１２）の前方部（１２．１）の空間（１２Ｓ）内に、前記かさぶたとり部（１３）を配置し、
前記筒状体（１２）の先端部（１２．１１）と前記把手（１４）の後端部（１４．１１）の間に脆弱部（１５）を形成し、
前記把手（１４）の後端部（１４．１１）に、前記かさぶたとり部（１３）の基部（１３．２）を連結し、
前記かさぶたとり部（１３）の先端部（１３．１１）は、前記筒状体（２）の基部（１２．２）に向けて配置し、
前記把手（１４）は、前記筒状体（１２）の基部（１２．２）と反対方向に向けて延設し、
前記把手（１４）に力を印加して、前記脆弱部（１５）を破断することにより、前記かさぶたとり部（１３）及び把手（１４）が一体となった状態で、前記筒状体（１２）の前方部（１２．１）より取り外すことができるように形成した、ことを特徴とするかさぶたとりキット（１１）。
【請求項４】
請求項１から請求項３のいずれか１の請求項に記載のかさぶたとりキット（１、１１）を、針管（２３）に装着したことを特徴とする医療用針（２１）。
【考案の詳細な説明】
【技術分野】
【０００１】
本考案は、例えば血液透析時に使用される「かさぶたとりキット」及び医療用針の改良に関する。なお「かさぶた」とりの技術に使用できれば、全ての分野に使用できる。以下血液透析の例について説明する。
【背景技術】
【０００２】
血液透析は、患者の血管（に形成したシャント部）に、透析針等を穿刺して行うものであるが、透析終了後、透析針を抜いた後の透析針の穿刺跡に、血液が凝固し「かさぶた」（血液の塊）が形成される。（特許文献１）このため、二回目以降の透析を行う場合、これらの「かさぶた」を除去して、透析針等を穿刺している。
【０００３】
「かさぶた」の除去手段として、特許文献２に記載されているように、医療用鉤状フックやピンセット等がある。このように、無菌状態の医療用鉤状フックやピンセット等をわざわざ準備するのは煩わしいので、現在、米国のＭＤＳ社から図４に例示するものが市販されている。
すなわち、医療用針３１の針カバー３２の前方部３２．１に、当該針カバー３２と別部品で形成した「かさぶたとり部３３」を、装着（組み込む）したものである。
透析の開始時に、「かさぶたとり部３３」を取り外し、かさぶたとり部３３の鋭利な先端部３３．１１で、「かさぶた」（血液の塊）を除去するものである。
しかしながら、このように、筒状体３２とかさぶたとり部３３を別部品にすると、
（１）部品点数が、かさぶたとり部３３の分だけ余分に増えて、組み立て工程が煩わしい。
（２）（１）により、作業者は、かさぶたとり部３３を、筒状体３２に装着し忘れる場合がある。
（３）かさぶたとり部３３は、筒状体３２の前方部３３．１に、単に圧入により装着するので、かさぶたとり部３３と筒状体３２のどちらかに、寸法等の偏り、歪等があると、装着がきつくなりすぎたり、緩くなりすぎる場合がある。
装着がきつくなりすぎると、組みたて時にかさぶたとり部３３を、筒状体３２に装着できなかったり、使用時に、かさぶたとり部３３を、筒状体３２から取り外すことができず、かさぶた部の除去作業が遅滞する。
逆に装着が緩すぎると、かさぶたとり部３３が、筒状体３２から離脱しやすく、包装運搬中に離脱すると、かさぶたとり部３３の先端部３３．１が、包装袋を突き破り、作業者を傷つける虞がある。
（４）部品点数が増えたかさぶたとり部３３分だけコスト高となり、またかさぶたとり部３３が使用中に落下する虞がある。
等の課題がある。
【０００４】
【特許文献１】特開２０００−１７６００９  （［００１１］）
【特許文献２】再公表特許ＷＯ０４／０１１０６３公報（第１０頁  第３行から第６行）
【考案の開示】
【考案が解決しようとする課題】
【０００５】
従来より使用されている「医療用針３１（針カバー３２に、別部品としてかさぶたとり部３３を、装着（組み込む）したもの」は、
（１）部品点数が、余分に増えて、組み立て工程が煩わしい。
（２）（１）により、作業者は、かさぶたとり部３３を、筒状体３２に装着し忘れる場合がある。
（３）かさぶたとり部３３と筒状体３２のどちらかに、寸法等の偏り、歪等があると、装着がタイトになりすぎたり、緩くなりすぎる場合がある。
（４）コスト高となり、またかさぶたとり部３３が使用中に落下する虞がある。
【課題を解決するための手段】
【０００６】
［１］本考案は、一体に成形した筒状体（２、１２）かさぶたとり部（３、１３）及び把手（４、１４）を有し、
前記筒状体（２、１２）の前方部（２．１、１２．１）の空間（２Ｓ、１２Ｓ）内に、前記かさぶたとり部（３、１３）を配置し、
前記把手（４、１４）の後端部（４．１１、１４．１１）に、前記かさぶたとり部（３、１３）の基部（３．２、１３．２）を連結し、
前記かさぶたとり部（３、１３）の先端部（３．１１、１３．１１）は、前記筒状体（２、１２）の基部（２．２、１２．２）に向けて配置し、
前記筒状体（２）の基部（２．２、１２．２）と反対方向に向けて前記把手（４、１４）を延設し、
前記筒状体（２、１２）の先端部（２．１１、１２．１１）と前記把手（４、１４）の後端部（４．１１、１４．１１）の間に脆弱部（５、１５）を形成し、
前記把手（４、１４）に捻り力を印加して、前記脆弱部（５、１５）を破断することにより、前記かさぶたとり部（３、１３）及び把手（４、１４）が一体となった状態で、前記筒状体（２、１２）の前方部（２．１、１２，１）より取り外すことができるように形成したかさぶたとりキット（１、１１）を提供する。
［２］本考案は、一体に成形した筒状体（２）、かさぶたとり部（３）及び把手（４）を有し、
前記筒状体（２）の前方部（２．１）の空間（２Ｓ）内に、前記かさぶたとり部（３）を配置し、
前記筒状体（２）の先端部（２．１１）に形成された密閉壁（２．３）に、前記かさぶたとり部（３）の基部（３．２）を連結し、
前記かさぶたとり部（３）の先端部（３．１１）は、前記筒状体（２）の基部（２．２）に向けて配置し、
前記筒状体（２）の密閉壁（２．３）に、前記筒状体（２）の基部（２．２）と反対方向に向けて前記把手（４）を延設し、
前記筒状体（２）の先端部（２．１１）に形成された密閉壁（２．３）と当該筒状体（２）の前方部（２．１）の間に脆弱部（５）を形成し、
前記把手（４）に捻り力を印加して、脆弱部（５）を破断することにより、前記かさぶたとり部（３）、密閉壁（２．３）及び把手（４）が一体となった状態で、前記筒状体（２）の前方部（２．１）より取り外すことができるように形成したかさぶたとりキット（１）を提供する。
［３］本考案は、一体に成形した筒状体（１２）、かさぶたとり部（１３）及び把手（１４）を有し、
前記筒状体（１２）の前方部（１２．１）の空間（１２Ｓ）内に、前記かさぶたとり部（１３）を配置し、
前記筒状体（１２）の先端部（１２．１１）と前記把手（１４）の後端部（１４．１１）の間に脆弱部（１５）を形成し、
前記把手（１４）の後端部（１４．１１）に、前記かさぶたとり部（１３）の基部（１３．２）を連結し、
前記かさぶたとり部（１３）の先端部（１３．１１）は、前記筒状体（２）の基部（１２．２）に向けて配置し、
前記把手（１４）は、前記筒状体（１２）の基部（１２．２）と反対方向に向けて延設し、
前記把手（１４）に力を印加して、前記脆弱部（１５）を破断することにより、前記かさぶたとり部（１３）及び把手（１４）が一体となった状態で、前記筒状体（１２）の前方部（１２．１）より取り外すことができるように形成したかさぶたとりキット（１１）を提供する。
［４］本考案は、［１］から［３］のいずれか１に記載のかさぶたとりキット（１、１１）を、針管（２３）に装着した医療用針（２１）を提供する。
【考案の効果】
【０００７】
本考案のかさぶたとりキット１、１１は、
（１）筒状体２、１２にかさぶたとり部３、１３を一体に成形しているので、組み立て工程が増えず、作業者も、かさぶたとり部３、１３を、筒状体２、１２に装着し忘れることがない。
（２）使用時に、かさぶたとり部３、１３を一体に成形した把手４、１４に力を印加して、脆弱部５、１５を破断することにより、かさぶたとり部３、１３の先端部３．１、１３．１を筒状体２、１２より取り外して露出することができるので、運搬・取り扱いが安全である。操作性も良い。
（３）従来の医療用針３１「針カバー３２に、別部品としてかさぶたとり部３３を、装着（組み込む）したもの」と比較して、かさぶたとり部３、１３が使用中に落下する虞がない。
【考案を実施するための最良の形態】
【０００８】
図１は本考案のかさぶたとりキット１の概略図［（Ａ）平面図、（Ｃ）側面図、（Ｂ）は（Ｃ）のＢ−Ｂ´断面図、（Ｄ）は（Ａ）のＡ−Ａ´断面図］、図２は図１のかさぶたとりキット１を装着した医療用針２１とその使用方法の一例を示す概略図［（Ａ）切断前、（Ｂ）切断後］である。
［医療用針２１］
医療用針２１は、図２に例示するように、針基２５に針管２３を植設し、針基２５の側部に翼部２４を装着している。針管２３には、針カバー２２として、かさぶたとりキット１（の筒状体２）が装着されている。針基２５の後方には、チューブＴが接続されている。
【０００９】
［かさぶたとりキット１］
本考案のかさぶたとりキット１は、図１に例示するように、一体に成形した筒状体２、かさぶたとり部３及び把手４を有する。
筒状体２の前方部２．１の空間２Ｓ内に、かさぶたとり部３を配置している。
筒状体２の先端部２．１１に形成された密閉壁２．３に、かさぶたとり部３の基部３．２を連結している。
かさぶたとり部３の先端部３．１１は、筒状体２の基部２．２に向けて配置している。
筒状体２の密閉壁２．３に、筒状体２の基部２．２と反対方向に向けて把手４を延設している。
筒状体２の先端部２．１１に形成された密閉壁２．３と当該筒状体２の前方部２．１の間に脆弱部５を形成している。
把手４に捻り力を印加して、脆弱部５を破断することにより、かさぶたとり部３、密閉壁２．３及び把手４は、一体となった状態で、筒状体２の前方部２．１より取り外すことができるように形成している。
【００１０】
［筒状体２］
筒状体２は、図２に例示するように、翼付き針２１の針カバー２２の役割を果す。
【００１１】
［かさぶたとり部３］
図１から図２に例示するように、かさぶたとり部３は、筒状体２の前方部２．１の空間２Ｓ内に、配置している。
また、かさぶたとり部３は、筒状体２の先端部２．１１に形成された密閉壁２．３に、基部３．２を連結している。
さらに、かさぶたとり部３の先端部３．１１は、筒状体２の基部２．２に向けて配置されている。
さらにかさぶたとり部３は例えば図１（Ｄ）に例示するように、基部３．２から
先端部３．１１に向けて、斜面に形成されている。
このように、傾斜させて形成することで、かさ部に対して斜めから穿刺でき、広域に接触できるので、かさ部を除去しやすくなる。
【００１２】
［把手４］
図１から図２に例示するように、把手４は、作業者が掴んで、捻り力を印加しやすいように、平坦な板状に形成されている。把手４は、筒状体２の密閉壁２．３に、筒状体２の基部２．２と反対方向に向けて延設している。
［脆弱部５］
図１から図２に例示するように、脆弱部５は、筒状体２の先端部２．１１に形成された密閉壁２．３と当該筒状体２の前方部２．１の間に形成されている。
脆弱部５は、図１から図２に例示するように、環状の溝を形成することにより、薄肉に形成された筒状体２（針カバー２２）の壁部である。
【００１３】
［使用方法］
かさぶたとりキット１を医療用針２１に装着した例で説明する。
図２（Ａ）、（Ｂ）に例示するように、把手４を掴んで、把手４に捻り力を印加し、脆弱部５を破断することにより、かさぶたとり部３、密閉壁２．３及び把手４を、一体となった状態で、筒状体２の前方部２．１より取り外す。
かさぶたとり部３の先端部２．１１でかさ部を除去する。
【００１４】
［かさぶたとりキット１１］
図３は本考案の他の実施例であるかさぶたとりキット１１の概略図［（Ａ）平面図、（Ｂ）側面図、（Ｃ）は（Ｂ）のＢ−Ｂ´断面図、（Ｄ）は（Ａ）のＡ−Ａ´断面図、（Ｅ）は左側面図］である。
かさぶたとりキット１１は、図３に例示するように、一体に成形した筒状体１２、かさぶたとり部１３及び把手１４を有する。
筒状体１２の前方部１２．１の空間１２Ｓ内に、かさぶたとり部１３を配置している。
筒状体１２の先端部１２．１１と把手１４の後端部１４．１１の間に脆弱部１５を形成している。
把手１４の後端部１４．１１に、かさぶたとり部１３の基部１３．２を連結し、かさぶたとり部１３の先端部１３．１１は、筒状体２の基部１２．２に向けて配置している。
把手１４は、筒状体１２の基部１２．２と反対方向に向けて延設している。
把手１４に捻り力を印加して、脆弱部１５を破断することにより、かさぶたとり部１３及び把手１４が一体となった状態で、筒状体１２の前方部１２．１より取り外すことができるように形成している。
【００１５】
図３のかさぶたとりキット１１の「筒状体１２」と「かさぶたとり部１３」は、図１のかさぶたとりキット１の「筒状体２」と「かさぶたとり部３」と実質的に同じであるから詳細な説明は、省略する。
［把手１４］
把手１４は、図３に例示するように、把手１４は、作業者が掴んで、捻り力を印加しやすいように、四個の翼部（板部、突起部ともいう）を組み合わせて形成している。把手１４は、脆弱部１５を介して、筒状体１２の先端部に連結され、筒状体１２の基部１２．２と反対方向に向けて延設している。
［脆弱部１５］
図３に例示するように、脆弱部１５は、筒状体１２の先端部１２．１１と把手１４の後端部１４．１１の間に形成されている。
脆弱部１５は、図３に例示するように、筒状体１２の先端部１２．１１と把手１４の後端部１４．１１を連結する薄肉に形成された壁部である。
［使用方法］
かさぶたとりキット１１を医療用針２１に装着した例で説明する。
図２（Ａ）、（Ｂ）の例示と同様に、把手１４を掴んで、把手１４に捻り力を印加し、脆弱部１５を破断することにより、かさぶたとり部１３及び把手１４を、一体となった状態で、筒状体１２の前方部１２．１より取り外す。かさぶたとり部１３の先端部１２．１１でかさ部を除去する。
【図面の簡単な説明】
【００１６】
【図１】本考案のかさぶたとりキットの一例を示す概略図［（Ａ）は平面図、（Ｃ）は側面図、（Ｂ）は（Ｃ）のＢ−Ｂ´断面図、（Ｄ）は（Ａ）のＡ−Ａ´断面図］
【図２】図１のかさぶたとりキット１を装着した医療用針２１とその使用方法の一例を示す概略図［（Ａ）切断前、（Ｂ）切断後］
【図３】本考案の他の実施例であるかさぶたとりキット１１を示す概略図［（Ａ）は平面図、（Ｂ）は側面図、（Ｃ）は（Ｂ）のＢ−Ｂ´断面図、（Ｄ）は（Ａ）のＡ−Ａ´断面図、（Ｅ）は左側面図］
【図４】従来の医療用針とかさぶたとりキットの概略図
【符号の説明】
【００１７】
１、１１              かさぶたとりキット
２、１２              筒状体
２．１、１２．１      前方部
２．１１、１２．１１    先端部
２．２、１２．２      基部
２．３、１２．３      密閉壁
２Ｓ、１２Ｓ          空間
３、１３              かさぶたとり部
３．１１、１３．１１  先端部
３．２、１３．２      基部
４、１４              把手
４．１１、１４．１１  後端部
５、１５              脆弱部
２１  医療用針
２２  針カバー
２３  針管
２４  翼部
２５  針基
Ｔ    チューブＴ
【図１】
0003144672.tif 000003
【図２】
0003144672.tif 000004
【図３】
0003144672.tif 000005
【図４】
0003144672.tif 000006